(57)【要約】【課題】  スプリングやバネの付勢力を用いることなく、把持力が衰えずに操作性に優れ、かつ大量生産が可能で、製造コストの低減を図ることができるクリップを提供することにある。【解決手段】  可撓性を有する合成樹脂材料によって形成され、その中央部近傍をヒンジ部によって所定間隔に開閉可能に保持された一対のクリップ本体と、ヒンジ部の一端から外側に連結部材を介して楔状の押圧部を設け、該押圧部をクリップ本体上部から嵌合し、押圧部の連結部材と反対側の一端に設けた爪でロックすることができ、また、クリップ本体の内側にロレット状の嵌合溝を設けたことにある。【選択図】図１
2008100022.tif 000002
【特許請求の範囲】
【請求項１】
可撓性を有する合成樹脂材料によって形成され、その中央部近傍をヒンジ部によって所定間隔に開閉可能に支持された一対のクリップ本体と、ヒンジ部の一端から外側に連結部材を介して押圧部を設け、該押圧部をクリップ本体上部から嵌合し、押圧部の連結部材と反対側の一端に設けた爪でロックすることを特徴とするクリップ。
【請求項２】
上記押圧部の断面が略楔状に形成されることを特徴とする請求項１に記載のクリップ。
【請求項３】
クリップ本体の内側と押圧部側面にロレット状の嵌合溝を設けたことを特徴とする請求項１または２に記載のクリップ。
【発明の詳細な説明】
【技術分野】
【０００１】  この発明はクリップ、特に衣類の洗濯物や紙類等を把持するクリップに関する。
【背景技術】
【０００２】  衣類の洗濯物や紙類等を把持するためのクリップには種々の構造のものが市販されているが、従来の上記クリップについて洗濯バサミを例に説明する。【０００３】  従来の洗濯バサミは樹脂製の本体１００の中央部に支持部１０４を設け、本体の先端を把持部１０８とし、他端をつまみ部１０２とし、本体１００を両側の円筒状の金属製スプリング１０６で付勢する構造が一般的に知られている。これを使用する場合にはスプリングの付勢方向（図中Ｂ方向）に力を必要とする。【０００４】  また、つまみ部、爪、支点、バネ等で構成されているクリップであって、アームや支点バネが樹脂等で一体として成型された物干しクリップが開示されている。【０００５】  この種のクリップに関する技術が特許文献１に開示されている。
【特許文献１】特開平１１−１６９５９６
【発明の開示】
【発明が解決しようとする課題】
【０００６】  ところで、前述のように構成されたクリップは、いずれも把持部１０８を開くためにつまみ部１０２のストロークが長く（図中Ｌ）、力の弱い高齢者や子供には使いづらいという課題があった。また、スプリングが樹脂製の場合には長期間使用しているとスプリングが劣化し、洗濯物がクリップから脱落しやすくなり、劣化を防止するためあらかじめスプリングや支持バネの付勢力を高めると、さらに開きづらく使いにくくなるという課題があった。【０００７】  この発明は、前記事情に着目してなされたもので、その目的とするところは、スプリングやバネの付勢力を用いることなく、把持力が衰えずに操作性に優れたクリップを提供することにある。
【課題を解決するための手段】
【０００８】  この発明は前記目的を達成するために、可撓性を有する合成樹脂材料によって形成され、その中央部近傍をヒンジ部によって所定間隔に開閉可能に支持された一対のクリップ本体と、ヒンジ部の一端から外側に連結部材を介して押圧部を設け、該押圧部をクリップ本体上部から嵌合し、押圧部の連結部材と反対側の一端に設けた爪でロックすることにより把持状態を構成する。【０００９】  また、上記押圧部の断面が略楔状に形成されるとともに、上記クリップ本体の裏面と押圧部側面にはロレット状の凹凸部を構成する。
ここで、重要なことは、前記クリップ本体、ヒンジ部、連結部材、押圧部および爪は可撓性を有する合成樹脂材料によって一体成形され、一部品で構成されており、この状態で構造的に付勢力が働いていないことである。【００１０】  あらかじめ開状態となっている把持部に洗濯物、紙類等を介在させ、押圧部を上方向に回動しクリップ本体の内側に嵌合すると把持部が閉状態となる。さらに、ヒンジ部の一端に爪をロックさせると把持力を維持することができる。したがって、洗濯物、紙類等を少ない力で把持することができる。
【発明の効果】
【００１１】  以上説明したように、この発明によれば押圧部をクリップ本体に嵌合、解除することにより把持部を開閉できるため、洗濯物、紙類等を少ない力で把持、解除することができ、操作性の向上を図ることができるとともに、把持力を維持することができる。また、可撓性を有する合成樹脂材料によってクリップを一体に形成したから、大量生産が可能で、製造コストの低減を図ることができる。
【発明を実施するための最良の形態】
【００１２】  以下、この考案の一実施例を図面に基づいて説明する。
図１および図２は、可撓性を有する合成樹脂材料、例えばポリプロピレン等によって一体に成形されたクリップの全体を示す。１、１は一対のクリップ本体である。クリップ本体１、１の内側中央部近傍にはヒンジ部２が一体に設けられ、このヒンジ部２によって一対のクリップ本体１、１が所定間隔を存して開閉自在に連結されており、非使用状態においては、図２（ａ）に示すようにＨ状になっている。また、クリップ本体１、１の内側にはロレット状の嵌合溝（図２では省略した）を設ける。【００１３】  クリップ本体１、１の下端部における内側には把持部３、３が一体に設けられる。ヒンジ部２の一端から外側に連結部材５を介して押圧部６を設ける。把持部３は非使用状態では連結部材５とほぼ一直線状になっている。また、押圧部６は断面が略楔状をしておりクリップ本体１、１に嵌合した状態で非使用状態から１８０度反転し、連結部材５の上方に重合する構造となっている。また、押圧部６の側面にはロレット状の嵌合溝を設けることによりクリップ本体側の嵌合溝を介してラチェット状にクリップ１、１を勢力することになり、この状態でも洗濯物、紙類等を把持できる。また、押圧部６の連結部材との反対側の他端には爪７を設ける。爪７はヒンジ部２の連結部材側と反対側の他端にロックするように構成されるため、把持部を確実に閉状態に維持できる。【００１４】  クリップを使用する場合は、把持部３、３に洗濯物、紙類等を挟む。このとき、クリップ本体１、１は左右互いに平行状態にあり把持部３、３はあらかじめ開状態となっている。次に、押圧部６を連結部材５を介してクリップ本体１、１の上部方向に回転させ（図中Ｒの方向）、そのままクリップ本体１、１の内側に沿って下方向に回動させ、把持部３、３に洗濯物、紙類等が把持される位置で嵌合させる。このときクリップ本体は図２（ｂ）に示すようにＨ状からＶ字状に変化する。次に、爪７を連結部材５に嵌合させることにより、押圧部６がクリップ１、１にロックされ把持状態が維持される。【００１５】  クリップを外す場合は使用する動作と逆の手順となる。すなわち、押圧部６を連結部５から外してロックを解除すると、連結部５の可撓性により押圧部が自動的に回動し、連結部とほぼ一直線上になる位置まで戻る。このとき把持部３、３は開状態となり洗濯物、紙類等を抜き取ることができる。したがって、洗濯物、紙類等を少ない力で把持、解除することができ、操作性の向上を図ることができるとともに、把持力を維持することができる。
【図面の簡単な説明】
【００１６】
【図１】この発明の一実施例に係わるクリップの使用前の斜視図である。
【図２】同実施例のクリップのＡ−Ａ断面図である。
【図３】従来の洗濯ばさみを示す斜視図である。
【符号の説明】
【００１７】１    クリップ本体
２    ヒンジ部
３    把持部
４    つまみ部
５    連結部材
６    押圧部
７    爪
８    嵌合溝
【図１】
2008100022.tif 000003
【図２】
2008100022.tif 000004
【図３】
2008100022.tif 000005